(57)【特許請求の範囲】
【請求項１】
内接歯車ポンプの歯数がｎのインナーロータ（２）と補正前歯形を有する歯数が（ｎ＋１）のアウターロータ（３）を所定の偏心配置位置にして噛み合わせ、この状態でインナーロータ（２）の歯面を、アウターロータ（３）との噛み合い部以外の箇所、かつ、歯間隙間の極小化や歯の干渉が懸念される箇所でアウターロータ（３）との間に確保したい歯間隙間相当分インナーロータ中心に対して外側に大きくオフセットし、所定のインナーロータ回転角位置でそのオフセットを繰り返して得られるインナーロータのオフセット歯面を１箇所に集合させ、集合したオフセット歯面群の包絡線をアウターロータの補正後歯形の歯先曲線とするアウターロータの歯形創成方法。
【請求項２】
前記インナーロータ（２）が歯先と歯底の間をインボリュート曲線で構成した歯形、もしくは、下記方法Iによって創成される歯形を有し、アウターロータ（３）は補正前歯形として下記方法IIによって創成される歯形を有し、その内接歯車ポンプのアウターロータ（３）の歯形を創成する請求項１に記載のアウターロータの歯形創成方法。
方法I：歯先の創成円（Ｂ）、歯底の創成円（Ｃ）を下記（１）〜（３）の条件に基づいて移動させ、その間にインナーロータ中心（ＯＩ）と同心の基準円（Ａ）上の基準点（Ｊ）と重なる前記創成円（Ｂ，Ｃ）上の点（ｊ）が描く軌跡曲線を、基準円中心（ＯＩ）から歯先頂点（ＴＴ）又は歯底頂点（ＴＢ）に至る直線（Ｌ２，Ｌ３）に対して対称形状をなすように描いて歯形の歯先曲線又は歯底曲線となす。
−創成円Ｂ，Ｃの移動条件−
（１）創成円（Ｂ，Ｃ）を、それらの創成円上の点（ｊ）が基準円（Ａ）上の基準点（Ｊ）に重なるように配置し、このときに創成円中心（ｐａ，ｐｂ）がある位置を移動始点にしてその移動始点（Ｓｐａ，Ｓｐｂ）から創成円（Ｂ，Ｃ）を一定角速度で自転させながら、創成円中心（ｐａ，ｐｂ）が移動終点（Ｌｐａ，Ｌｐｂ）に到達するまで創成円中心をその中心の移動曲線（ＡＣ１，ＡＣ２）に沿って移動させる。
（２）前記移動曲線（ＡＣ１，ＡＣ２）は、インナーロータ中心（ＯＩ）から創成円中心（ｐａ，ｐｂ）までの基準円径方向距離を、前記移動始点（Ｓｐａ，Ｓｐｂ）から移動終点（Ｌｐａ，Ｌｐｂ）まで、歯先曲線（２ａ）についてはその距離を増加させ、歯底曲線（２ｂ）についてはその距離を減少させる。
（３）歯先頂点（ＴＴ）又は歯底頂点（ＴＢ）は、基準円（Ａ）の径方向において、創成円（Ｂ）の移動始点（Ｓｐａ）と基準円中心（ＯＩ）間の距離（ＲＯ）に移動始点にある創成円（Ｂ）の半径を足した長さを超えて基準円中心（ＯＩ）から離れている。又は、創成円（Ｃ）の移動始点（Ｓｐｂ）と基準円中心（ＯＩ）間の距離（ｒＯ）に移動始点にある創成円（Ｃ）の半径を差し引いた長さを超えて基準円中心（ＯＩ）に近づいている。
方法II：アウターロータ中心を中心とする直径（２ｅ＋ｔ）の円上をインナーロータ中心（ＯＩ）が１周公転し、その間にインナーロータ（２）が（１／ｎ）回自転し、このときのインナーロータの歯形曲線群の包絡線をアウターロータの歯形となす。
ここに、ｎ：インナーロータの歯数
ｅ：アウターロータとインナーロータの偏心量
ｔ：チップクリアランス
【請求項３】
歯数がｎのインナーロータ（２）と、請求項２に記載の方法によって創成された歯形を有する歯数が（ｎ＋１）のアウターロータ（３）を偏心配置にして組み合わせたポンプロータ（４）を有し、
実際のポンプ運転時に噛み合い部以外の箇所において、インナーロータ（２）とアウターロータ（３）との間にインナーロータのオフセット量に相当した大きさの歯間隙間が生じるように構成された内接歯車ポンプ。
【発明の詳細な説明】
【技術分野】
【０００１】
この発明は、内接歯車ポンプを構成するアウターロータの歯形創成方法とその方法を採用した内接歯車ポンプに関する。
【背景技術】
【０００２】
歯数がｎのインナーロータと、歯数が（ｎ＋１）のアウターロータを偏心配置にして組み合わせ、その２者からなるポンプロータをハウジングのロータ室に収納して構成される内接歯車ポンプは、車のエンジンの潤滑用や自動変速機（ＡＴ）用のオイルポンプなどとして利用されている。
【０００３】
その内接歯車ポンプは、ハウジングのロータ室の端面に吸入ポートと吐出ポートを有する。吸入ポート終端と吐出ポート始端間は、インナーロータとアウターロータの歯間に作り出されるチャンバ（ポンプ室）を吸入ポートと吐出ポートから切り離す閉じ込み部として構成されており、前記チャンバが吸入ポートに面して面積（容積）を拡大しながら移動する間にそのチャンバに液体が吸入され、チャンバが吐出ポートに面して面積を縮小しながら移動する間にチャンバ内の液体が吐出ポートに送り出される。
【０００４】
この内接歯車ポンプの中に、下記ａ）、ｂ）に記載したものが存在する。
ａ）第１基礎円上を滑り無く転がる外転円の一点の軌跡によって描かれる歯先と、第１基礎円よりも小径の第２基礎円上を滑り無く転がる内転円の一点の軌跡によって描かれる歯底の間をインボリュート曲線でつないだ歯形を有するポンプ（特許文献１参照）。このポンプのロータはメガフロイド（住友電工の登録商標）ロータと称されている。
【０００５】
ｂ）特許文献２が開示している方法（後述する方法Ｉ）で創成される歯形を採用したポンプ。なお、特許文献２の歯形創成法に関する詳細説明は、後に行なう。
【０００６】
上記特許文献１，２の内接歯車ポンプは、インナーロータとアウターロータの歯丈の設定規制を緩和したものであって、トロコイド曲線やサイクロイド曲線を基本にした歯形を有するポンプよりも歯丈を大きくすることができる。そのために、チャンバの容積を大きくしてポンプの吐出量を増大させることができ、ポンプ性能の向上が図れる。
【０００７】
また、特許文献１、２の歯形を有するインナーロータは、それと組み合わせるアウターロータの歯形を下記特許文献３に記載された方法で創成すると比較的回転の滑らかなポンプロータを実現できることから、組み合わせ相手のアウターロータの歯形を特許文献３の方法（後述する方法II）で創成することがなされている。
【先行技術文献】
【特許文献】
【０００８】
【特許文献１】特許第４５５７５１４号公報
【特許文献２】特許第４６００８４４号公報
【特許文献３】実公平６−３９１０９号公報
【発明の概要】
【発明が解決しようとする課題】
【０００９】
歯数がｎのインナーロータと歯数が（ｎ＋１）のアウターロータを組み合わせた内接歯車ポンプでは、ポンプが円滑に回転するように、インナーロータとアウターロータの間に所定のチップクリアランス（歯先間隙間）を設けている。
【００１０】
つまり、インナーロータの中心とアウターロータの中心を所定の偏心位置に配置し、インナーロータの歯先頂点のひとつとアウターロータの歯底頂点のひとつが両ロータの中心が置かれる直線の偏心軸上に位置するように組み合わせ、この位置を基準にしてその基準位置からインナーロータとアウターロータを（ｎ＋１）：ｎの比で回転させた任意の理論配置の状態で、インナーロータとアウターロータ間に所望のチップクリアランスが確保されるようにインナーロータとアウターロータの各歯形が設計される。
【００１１】
しかしながら、実際のポンプ回転時には、インナーロータとアウターロータが少なくとも１箇所で噛み合って上記理論配置の状態とは異なった状態（回転方向の位置からずれた状態）となるため、実際のチップクリアランスが設計上の数値と異なったものになる。
【００１２】
その相違と、製造工程で生じる不可避の加工誤差により、インナーロータの回転角によっては、噛み合い部以外の箇所でチップクリアランスが極小になったり、インナーロータとアウターロータの歯面が接触（干渉）したりすることがある。
【００１３】
そのチップクリアランスの極小化や歯面の干渉の問題が、チップクリアランスの設定値が小さいポンプや、上記特許文献１，２のように歯丈を大きくしたロータを有するポンプでは特に発生しやすくなることが懸念される。
【００１４】
そこで、この発明は、歯数差が１枚のインナーロータとアウターロータを組み合わせた内接歯車ポンプについて、実使用時に噛み合い部以外の箇所でインナーロータとアウターロータ間に適切な歯間隙間が確保されるものにする。そのためのアウターロータの歯形創成方法と、その方法でアウターロータの歯形を創成した内接歯車ポンプを提供することを課題としている。
【課題を解決するための手段】
【００１５】
上記の課題を解決するため、この発明においては、歯数がｎのインナーロータと補正前歯形を有する歯数が（ｎ＋１）のアウターロータを所定の偏心配置位置にして噛み合わせ、この状態でインナーロータの歯面を、アウターロータとの噛み合い部以外の箇所、かつ、歯間隙間の極小化や歯の干渉が懸念される箇所でアウターロータとの間に確保したい歯間隙間相当分インナーロータ中心に対して外側に大きくオフセットし、所定のインナーロータ回転角位置でそのオフセットを繰り返して得られるインナーロータオフセット歯面を１箇所に集合させ、集合したオフセット歯面群の包絡線をアウターロータの補正後歯形の歯先曲線となす。
【００１６】
上記チップクリアランスの極小化や歯面の干渉は、インナーロータとアウターロータがトロコイド曲線やサイクロイド曲線を基本にした曲線の歯形を有するポンプでも起こりうるが、この発明は、その問題が発生する懸念の高いポンプに適用すると特に大きな効果を期待できる。
【００１７】
この発明の適用対象として適したポンプは、例えば、チップクリアランスの設定値が小さい内接歯車ポンプや、インナーロータが、上記特許文献１に開示されているインボリュート曲線の含まれた歯形や上記特許文献２の方法で創成された歯形を有し、アウターロータが上記特許文献３の方法で創成された歯形を有する内接歯車ポンプが挙げられる。
【００１８】
なお、ポンプロータは、一面側と他面側の区別がし難いので、組み付けミスの防止のために、組み付けに方向性が生じないように、アウターロータの歯先は左右対称形状となす。
【００１９】
かかる方法でアウターロータの歯形を創成した内接歯車ポンプは、インナーロータとアウターロータの噛み合い部を除いた箇所で両ロータ間に所望の歯間隙間が確保される。その歯間隙間は、ロータに許容範囲内で最大の加工誤差が生じてもゼロになることはない。ロータの加工誤差を無視する（ゼロと考える）と、インナーロータのオフセット量に相当した大きさになり、ロータに加工誤差があれば、インナーロータのオフセット量からその加工誤差分を減じた値になる。この発明は、その内接歯車ポンプも併せて提供する。
【発明の効果】
【００２０】
この発明の方法でアウターロータの歯形を創成した内接歯車ポンプは、実使用時にもインナーロータとアウターロータ間に確実に歯間隙間が確保される。
【００２１】
このために、ポンプ使用時のチップクリアランスが設計上の数値と異なったものになることや、製造工程で不可避の加工誤差が生じることに起因した歯間隙間の極小化や歯先の干渉が起こらない。
【図面の簡単な説明】
【００２２】
【図１】この発明の内接歯車ポンプの一例を、ハウジングのカバーを外した状態にして示す端面図
【図２】（ａ）：一定径の創成円を用いて図１のインナーロータの歯形を創成する方法の解説図、（ｂ）：一定径の創成円の中心の移動状態を示すイメージ図
【図３】アウターロータ歯形曲線の創成方法の説明図
【図４】（ａ）〜（ｉ）：インナーロータとアウターロータを噛み合わせて回転させたときの歯面の突合せ状態の変化を示す図
【図５】アウターロータの歯形創成方法の説明図
【発明を実施するための形態】
【００２３】
以下、この発明の歯形創成方法と内接歯車ポンプの実施の形態を添付図面の図１〜図５に基づいて説明する。
【００２４】
図１に示す内接歯車ポンプ１は、歯数がｎのインナーロータ２と、歯数が（ｎ＋１）のアウターロータ３を偏心配置にして組み合わせてポンプロータ４を構成し、そのポンプロータ４をハウジング５のロータ室６に収納して構成されている。図中ＯＩはインナーロータ中心、ＯＯはアウターロータ中心、ｅは、インナーロータ２とアウターロータ３の偏心量を表す。ロータ室６の端面には、吸入ポート７と吐出ポート８が形成されている。
【００２５】
例示のポンプ１のインナーロータ２は、歯先と歯底の間をインボリュート曲線でつないだ歯形、又は、特許文献２の方法（下記方法Ｉ）によって創成された歯形を有する。
【００２６】
歯先と歯底の間がインボリュート曲線で構成される歯形は、歯先と歯底にサイクロイド曲線を用いるものや、歯先を任意のＲ曲線に置き換えたものなどが考えられる。
【００２７】
方法Ｉは、インナーロータと同心の基準円Ａと、歯先の創成円Ｂと、歯底の創成円Ｃを用いる。創成円Ｂ，Ｃは、円周上の点ｊが、基準円ＡとＹ軸の交点（基準点Ｊ）を通過する円である。
【００２８】
この方法Ｉは、図２（ａ），（ｂ）に示すように、歯先の創成円Ｂ、歯底の創成円Ｃを下記（１）〜（３）の条件に基づいて移動させ、その間にインナーロータ中心ＯＩと同心の基準円Ａ上の基準点Ｊと重なる前記創成円Ｂ、Ｃ上の点ｊが描く軌跡曲線を、基準円中心ＯＩから歯先頂点ＴＴ又は歯底頂点ＴＢに至る直線Ｌ２，Ｌ３に対して対称形状をなすように描いて歯形の歯先曲線、歯底曲線の少なくとも一方となす。
【００２９】
−創成円Ｂ，Ｃの移動条件（１）〜（３）−
（１）創成円Ｂ,Ｃを、それらの創成円上の点ｊが基準円Ａ上の基準点Ｊに重なるように配置し、このときに創成円中心ｐａ，ｐｂがある位置を移動始点にしてその移動始点Ｓｐａ，Ｓｐｂから創成円Ｂ，Ｃを一定角速度で自転させながら、創成円中心ｐａ，ｐｂが移動終点Ｌｐａ，Ｌｐｂに到達するまで創成円中心をその中心の移動曲線ＡＣ１，ＡＣ２に沿って移動させる。移動終点Ｌｐａ，Ｌｐｂは、創成円Ｂ，Ｃ上の点ｊが歯先頂点ＴＴ又は歯底頂点ＴＢに到達する位置である。この条件（１）に基づいて創成円Ｂ，Ｃ上の点ｊが描く軌跡曲線が歯形になる。
【００３０】
（２）前記移動曲線ＡＣ１，ＡＣ２は、インナーロータ中心ＯＩから創成円中心ｐａ，ｐｂまでの基準円径方向距離を、前記移動始点Ｓｐａ，Ｓｐｂから移動終点Ｌｐａ，Ｌｐｂまで、歯先曲線２ａについてはその距離を増加させ、歯底曲線２ｂについてはその距離を減少させる。
【００３１】
これにより、移動曲線ＡＣ１，ＡＣ２は、歯先側においては図２（ａ）において右上がりの傾斜曲線、歯底側においては左下がりの傾斜曲線となり、それに伴い、上記点ｊの描く軌跡曲線が滑らかな歯先、歯底を描く。
【００３２】
（３）歯先頂点ＴＴ又は歯底頂点ＴＢは、基準円Ａの径方向において、創成円Ｂの移動始点Ｓｐａと基準円中心ＯＩ間の距離ＲＯに移動始点にある創成円Ｂの半径を足した長さを超えて基準円中心ＯＩから離れている。又は、創成円Ｃの移動始点Ｓｐｂと基準円中心ＯＩ間の距離ｒＯに移動始点にある創成円Ｃの半径を差し引いた長さを超えて基準円中心ＯＩに近づいている。
【００３３】
この条件により、点ｊの軌跡曲線によって描かれる歯の歯丈が、基礎円上を転がる転円によって描かれるサイクロイド曲線の歯形に比べて高くなる。
【００３４】
上記創成円Ｂ，Ｃは、それぞれの直径Ｂｄ，Ｃｄを一定に保って移動始点から移動終点に移動する円と、それぞれの直径Ｂｄ，Ｃｄを縮めながら移動始点から移動終点に移動する円のどちらかが選択される。移動中に径変化を生じる後者の創成円は、移動始点での直径に対して移動終点での直径が０．２倍以上、１倍以下にするのがよい。
【００３５】
創成円中心ｐａ，ｐｂの移動始点Ｓｐａ，Ｓｐｂは、図２（ａ）では直線Ｌ１上に置かれているが、直線Ｌ１よりも創成円の移動方向前方に配置されることもある。
【００３６】
さらに、創成円中心ｐａ，ｐｂの移動終点Ｌｐａ，Ｌｐｂも、直線Ｌ２，Ｌ３からずれた位置に設定されることがある。
【００３７】
なお、移動曲線ＡＣ１，ＡＣ２としては、インナーロータ中心ＯＩから創成円中心ｐａ、ｐｂまでの距離の変化率ΔＲ’が移動終点Ｌｐａ，Ｌｐｂにおいて０である曲線や正弦関数を利用した下記の曲線などが用いられる。
【００３８】
例えば、創成円中心ｐａ，ｐｂの移動始点Ｓｐａ，Ｓｐｂから移動終点Ｌｐａ，Ｌｐｂに至る間の基準円径方向移動量ΔＲが下式を満たす曲線である。
【００３９】
ΔＲ＝Ｒ×ｓｉｎ｛（π／２）×（ｍ／Ｓ）｝
ここに、Ｒ：創成円の径方向移動量（インナーロータ中心ＯＩから移動終点にある創成円中心ｐａまでの距離）−（インナーロータ中心ＯＩから移動始点にある創成円中心ｐａまでの距離）
Ｓ：ステップ数（創成円の移動始点から移動終点までの移動角度θＴ又はθＢを等間隔に等分した数）
ｍ：０→Ｓ
【００４０】
創成円Ｂ，Ｃの移動角度θＴ、θＢは、歯数や歯先、歯底の設置領域の比率などを考慮して設定される。
【００４１】
上記方法Ｉで創成した歯形を有するインナーロータと組み合わせるアウターロータは、組み合わせ相手のインナーロータ２を用いて特許文献３の方法（方法II）で歯形を創成している。
【００４２】
方法IIは、図３に示すように、組み合わせ相手のインナーロータ２の中心ＯＩを直径：（２ｅ＋ｔ）のアウターロータ中心と同心の円Ｓ上に置き、その円Ｓ上でインナーロータ中心ＯＩを公転させながら公転１回当りに（１／ｎ）回インナーロータを自転させ、こうして得られるインナーロータ歯形曲線群の包絡線をアウターロータの歯形となす。
ここに、ｎ：インナーロータの歯数
ｅ：アウターロータとインナーロータの偏心量
ｔ：チップクリアランス。このチップクリアランスは、アウターロータ中心とインナーロータ中心を偏心軸上に置き、アウターロータ歯先とインナーロータ歯先を対向させた状態から偏心軸に沿ってインナーロータの中心を移動させてインナーロータをアウターロータに押しつけたときの対向する前記アウターロータ歯先と前記インナーロータ歯先の距離をいう。
【００４３】
上記インナーロータ２とアウターロータ３を、所定の偏心配置にして組み合わせ、この理論配置の状態でどちらか一方を固定し、他方を回転させて図４（ａ）に示すように噛み合わせる。
【００４４】
図４では、インナーロータ２を図４（ｂ）〜（ｉ）の回転角度位置で固定し、アウターロータ３をロータ回転方向とは逆の方向に回転させて両ロータを噛み合わせている。
【００４５】
図４（ａ）においては、図中Ｙ部が噛み合い部であり、また、図中Ｚ１部が噛み合い部以外の箇所で歯間隙間の極小化や歯先干渉の懸念が出始める位置となる。そこで、インナーロータ２の歯面を、図４（ａ）の実線位置からアウターロータ３との間に確保したい歯間隙間相当分、インナーロータ中心に対してその中心から外に向って歯間隙間を小さくする方向にロータに許容される加工誤差よりも大きくオフセットする。
【００４６】
図面上ではインナーロータ２とアウターロータ３の歯先を重ねることができるので、インナーロータ２の歯面の上記オフセットを問題なく行える。
【００４７】
図５のＩは、図４（ａ）でオフセットしたインナーロータ２の歯面（歯先曲線）を、アウターロータ３の歯面と対応させて表している。
【００４８】
次に、図４（ａ）の状態からインナーロータ２を、アウターロータ３を追従させながら任意角度回転させる。
【００４９】
インナーロータ２を図４（ａ）の位置から５°時計周りに回転させた状態を、図４（ｂ）に示す。この位置でも、上記と同様に、インナーロータ２を、アウターロータ３との間に確保したい歯間隙間相当分、インナーロータ中心に対して歯間隙間を小さくする方向にロータに許容される加工誤差よりも大きくオフセットする。
【００５０】
インナーロータ２を、図４（ａ）の位置から１０°回転させた状態を図４（ｃ）に示す。また、１５°回転させた状態を図４（ｄ）に、２０°回転させた状態を図４（ｅ）に、２５°回転させた状態を図４（ｆ）に、３０°回転させた状態を図４（ｇ）に、３５°回転させた状態を図４（ｈ）に、４０°回転させた状態を図４（ｉ）にそれぞれ示す。
【００５１】
これ等の各位置でも、インナーロータ２を、アウターロータ３との間に確保したい歯間隙間相当分、インナーロータ中心に対して歯間隙間を小さくする方向にロータに許容される加工誤差よりも大きくオフセットする。
【００５２】
図５のIIは、インナーロータ２の歯面の図４（ｂ）におけるオフセット歯面を、図５のIIIは、図４（ｃ）にけるオフセット歯面をそれぞれアウターロータ３の歯面と対応させて表している。
【００５３】
同様に、図５のIV〜IXも、図４（ｄ）〜図４（ｉ）の各位置におけるインナーロータのオフセット歯面をアウターロータ３の歯面と対応させて表している。なお、Ｉ〜IXのオフセット歯面は、インナーロータ回転角の増加に合わせて順番に並べている。
【００５４】
図５に示すように、インナーロータ回転角の各位置におけるインナーロータオフセット歯面を１箇所に集合させると、集合したオフセット歯面群によって包絡線９を描くことができる。そこで、その包絡線９をアウターロータの歯先曲線とする。
【００５５】
この方法での創成によって、図５（ａ）のＺ１部から図５（ｉ）のＺ２部に至るまでの間では、ロータの加工誤差を無視すると、インナーロータ２とアウターロータ３間に希望した歯間隙間が確保される。インナーロータ２とアウターロータ３に加工誤差があるときには、その誤差相当分、確保される歯間隙間が増減する。
【００５６】
また、インナーロータ２のインナーロータ回転角の各位置におけるオフセット量をロータに許容される加工誤差よりも大きく設定したことで、許容される範囲で最大の加工誤差が生じた場合にも、インナーロータとアウターロータの噛み合い部以外の位置での干渉が防止される。
【００５７】
ポンプロータの噛み合い部以外の位置における歯間隙間は、ポンプの用途によっては、多少大きくした方が、ロータ回転に伴うチャンバ内圧力の急変の抑制などが図れて好ましいとされることがある。
【００５８】
また、インナーロータとアウターロータの歯先の干渉は、ポンプの円滑な駆動の妨げになるし、歯面の摩耗も助長される。
【００５９】
なお、アウターロータの歯先は、創成した半歯の歯先形状を反転させて残り半分の歯に転写することで左右対称形状となす。
【実施例】
【００６０】
上記方法Ｉにより、基準円Ａの直径：３２．９００ｍｍ、歯底〜歯先までの半歯角度（創成円の移動始点から移動終点までの移動角度θＴ，θＢ）：２２．５°、創成円Ｂの直径Ｂｄ：２．０５６３ｍｍ、創成円Ｃの直径Ｃｄ：２．０５６３ｍｍ、創成円Ｂの径方向移動量：０．０２８８ｍｍ、創成円Ｃの径方向移動量：１．７２６６ｍｍ、創成円Ｂ、Ｃの移動のステップ数Ｓ：各６０、創成円Ｂ、Ｃの移動時径変化無しの条件で歯形を創成した大径：３７．０７ｍｍ、小径：２５．４３ｍｍの歯数：８のインナーロータを設計した。
【００６１】
また、そのインナーロータを用いて上記方法IIで、偏心量ｅ：２．７６ｍｍ、チップクリアランスｔ：０．０２ｍｍの条件に基づき、大径：４２．６１ｍｍ、小径：３１．５７ｍｍの歯数：９のアウターロータを設計した。
【００６２】
次に、そのインナーロータとアウターロータを組み合わせ、インナーロータを固定した状態で両ロータが噛み合う位置までアウターロータを回転させた。そして、図４（ａ）のＺ１部から図４（ｊ）のＺ２部までの間でインナーロータとアウターロータ間に４０μｍの歯間隙間が生じるように、図４の各インナーロータ回転角位置でインナーロータの歯面をインナーロータの中心に対してオフセットした。
【００６３】
その後、各インナーロータ回転角位置でのオフセット歯面を図５のように１箇所に集合させ、集合したオフセット歯面群の包絡線をアウターロータの歯先曲線にしてアウターロータの補正後歯形（実際の製品の歯形）を作り上げた。
【００６４】
このようにして得たアウターロータを方法Ｉで歯形を創成したインナーロータと組み合わせて実使用時と同じ条件で運転したところ、歯先の干渉が全く起こらなかった。
【００６５】
以上の説明は、ロータが特定の歯形を有するポンプを例に挙げて行ったが、この発明は、トロコイド曲線やサイクロイド曲線などを基本にした曲線の歯形を有する内接歯車ポンプにも適用できる。
【符号の説明】
【００６６】
１          内接歯車ポンプ
２          インナーロータ
２ａ        歯先曲線
２ｂ        歯底曲線
３          アウターロータ
４          ポンプロータ
５          ハウジング
６          ロータ室
７          吸入ポート
８          吐出ポート
９          インナーロータオフセット歯面の包絡線
Ｉ〜IX      インナーロータ回転角の各位置におけるインナーロータオフセット歯面
ＯＩ         インナーロータ中心（基準円中心）
ＯＯ         アウターロータ中心
Ａ          基準円
Ａｄ        基準円の直径
Ｂ          歯先創成円
Ｃ          歯底創成円
Ｂｄ，Ｃｄ  創成円の直径
ＡＣ１，ＡＣ２  創成円中心が通る移動曲線
Ｒ          創成円の径方向移動量
Ｒｏ        創成円Ｂの移動始点Ｓｐａと基準円中心ＯＩ間の距離
ｒＯ         創成円Ｃの移動始点Ｓｐｂと基準円中心ＯＩ間の距離
θＴ，θＢ   創成円の移動角度
Ｊ          基準円上の基準点
ｊ          軌跡曲線を描く点
ＴＴ         歯先頂点
ＴＢ         歯底頂点
Ｌ１         インナーロータ中心と基準点Ｊを結ぶ直線
Ｌ２         インナーロータ中心と歯先を結ぶ直線 
Ｌ３         インナーロータ中心と歯底を結ぶ直線 
ｐａ，ｐｂ   創成円中心
Ｓｐａ，Ｓｐｂ  創成円の移動始点
Ｌｐａ，Ｌｐｂ  創成円の移動終点
Ｓ          ステップ数
ｅ          インナーロータ中心とアウターロータ中心の偏心量
ｔ          チップクリアランス
【図１】
0005561287.tif 000002
【図２】
0005561287.tif 000003
【図３】
0005561287.tif 000004
【図４】
0005561287.tif 000005
【図５】
0005561287.tif 000006